(57)【特許請求の範囲】
【請求項１】
側壁に横長の側面開口（２）を有する雨水浸透枡本体（１）と、この側面開口（２）をふさぐように前記側壁に取り付けられた箱型の通水ダクト（３）とからなる通水ダクト式雨水浸透装置であって、前記通水ダクト（３）が、前記側面開口（２）をふさぐ形状の前板（31）と、同じく側面開口（２）をふさぐ形状の外板（32）と、前記前板（31）と前記外板（32）との中間に位置し頂部がこれらより低い仕切り部材（33）とからなり、前記前板（31）の下部付近と前記外板（32）の底部付近にそれぞれ通水孔（311 、321 ）を設けるとともに、前記外板（32）が上下を前記前板（31）に接合され、軸を水平方向とする半割りの円筒体であり、前記仕切り部材（33）がこれと軸を略共通位置とし、底部において前記前板（31）に接合され、頂部が開口する半割りの円筒体であり、前記通水ダクト（３）が前板（31）を側壁の外面に向けて取り付けられている通水ダクト式雨水浸透装置。
【発明の詳細な説明】
【０００１】
【発明の属する技術分野】
本発明は、道路の側溝や駐車場、住宅の雨樋等に集められた雨水を地下に浸透させることにより下水道への流出を抑制するための雨水浸透装置に関する。
【０００２】
【従来の技術】
雨水の下水道への一時的な大量流出を抑制するため、一定規模以上の宅地の造成に関しては、所定容量の調整池を設け、ここから下水道へ放流することが法令により義務付けられている。しかし宅地を造成しても一定面積を調整池に当てなければならないということは国土の有効利用の点からも好ましくない上、開発業者にとっても販売面積が減少し、また設置後も住人、特に幼児、児童等にとって事故の危険があるなどの問題点がある。また都市化の進展とともに街は構造物やアスファルトで覆われ、雨は雨水本管から直接河川へ流されることによって土壌の保水力が極端に低下し、自然のサイクルが変化して気候変動による集中豪雨の多発や小雨傾向が顕著になり、都市型水害やヒートアイランド現象、湧き水の枯渇、地盤沈下等の原因となっていることも指摘されている。
【０００３】
また私有の駐車場等に対して、敷地内の雨水を公共の下水道へ排出することを規制しようとする動きもある。
【０００４】
【発明が解決しようとする課題】
こうした問題点に対処するため、道路の側溝や住宅の雨樋等の下流に雨水浸透枡を設け、この雨水浸透枡から雨水を地下に浸透させることにより下水道への流出を抑制することが一部で行われているが、従来の浸透枡はその底部から地中に浸透させる構造であるため、単に浸透するのみで土壌の自然浄化力を利用した水質の浄化は行われないので、道路にこぼれた油分等が地盤内を汚染したり、目詰まりによる浸透容量の低下があり、また側面からの浸透に比べて浸透のスピードが遅い等の問題点がある。
【０００５】
本発明はこの点を改善して、土砂や油等の有害成分を除去して水分のみを地下に浸透させるようにし、水質浄化を伴う地下浸透を実現することを目的とする。
【０００６】
【課題を解決するための手段】
本発明は、側壁に横長の側面開口を有する雨水浸透枡本体と、この側面開口をふさぐように前記側壁に取り付けられた通水ダクトとからなる通水ダクト式雨水浸透装置であって、前記通水ダクトが、前記側面開口をふさぐ形状の前板と、同じく側面開口をふさぐ形状の外板と、前記前板と前記外板との中間に位置し頂部がこれらより低い仕切り部材とからなり、前記前板の下部付近と前記外板の底部付近にそれぞれ通水孔を設けるとともに、前記外板が上下を前記前板に接合され、軸を水平方向とする半割りの円筒体であり、前記仕切り部材がこれと軸を略共通位置とし、底部において前記前板に接合され、頂部が開口する半割りの円筒体であり、前記通水ダクトが前板を側壁の外面に向けて取り付けられている通水ダクト式雨水浸透装置である。
【０００７】
【発明の実施の形態】
本発明は、側壁に横長の側面開口を有する雨水浸透枡本体と、この側面開口をふさぐように前記側壁に取り付けられた通水ダクトとからなる通水ダクト式雨水浸透装置であって、前記通水ダクトが、前記側面開口をふさぐ形状の前板と、同じく側面開口をふさぐ形状の外板と、前記前板と前記外板との中間に位置し頂部がこれらより低い仕切り部材とからなり、前記前板の下部付近と前記外板の底部付近にそれぞれ通水孔を設けたことを特徴としている。つまりこの通水ダクトは一種のサイホンであって、浸透枡内の水が仕切り部材の内側に浸入し、水位が仕切り部材の頂部を越えるとあふれて排出されるが、通水孔が前板の下部であることから流入した雨水に含まれる油分は浸透枡側に残り、また仕切り部材の内側における縦方向の水の流れが浸透枡内に流入する水の流速よりも遅くなることから土砂等の異物が沈殿し、水分だけが通水ダクトから地盤内へ排出される。
【０００８】
【実施例】
〔実施例１〕
図１は本発明の第１の実施例の通水ダクト式雨水浸透装置を示す斜視図で、１はコンクリート製等の雨水浸透枡本体、２は雨水浸透枡本体１の側面に設けられた横長の側面開口、３はその側面開口２に装着され、雨水浸透枡本体１と周囲の地盤とで水を出入させる通水ダクトである。雨水浸透枡本体１の平面形状は例えば外側で 800ｍｍ× 800ｍｍ、高さ 600ｍｍで、側面開口２は高さ140 ｍｍ、長さ 400ｍｍの横長形状のものが４面の中央で雨水浸透枡本体１の上端寄りの位置に水平に設けられている。壁厚は例えば 150ｍｍである。
【０００９】
本発明の通水ダクト式雨水浸透装置は、道路の側溝や駐車場、住宅の雨樋等に集められた雨水を土砂や油を除去して地下に浸透させることにより下水道への流出を抑制することを目的としている。
図２は、本発明の第１の実施例における地中に埋設された通水ダクト式雨水浸透装置の通水ダクト３付近を示す部分断面斜視図である。通水ダクト３は二重円筒を水平に置いて中心軸で縦に半割りにした形状で、割り面に前板31が取り付けられ、前板31には全長にわたって横長の通水孔311 が配置されている。また半割り円筒状の外筒32の底部付近にも水が通る小径の通水孔321 が多数設けられている。外筒32の内部には同じく半割り円筒状の内筒33が挿入されており、内筒33の底部は前板31に接合されているが、頂部は前板31に届かずに開口331 を形成している。
【００１０】
通水ダクト３は樹脂板、ステンレス鋼板等の板材を溶接して造られ、外筒32の半径が例えば55ｍｍ、内筒33の半径が35ｍｍである。前板31の通水孔311 と外筒32の通水孔321 とでは外側（地盤側）にある後者（321 ）の方の合計面積を大きくするのがよい。
雨水浸透枡１内の水位が上昇して通水孔311 から内筒33の内部に浸入し、内筒33の頂部を越えると、水は開口331 からあふれて内筒33と外筒32との間隙に流下し、底部の通水孔321 から排出され地盤内に浸透する。
【００１１】
通水孔311 が開口331 よりも低い位置にあるため、雨水浸透枡１内に流入した雨水に含まれる油分は油膜となって雨水浸透枡１内に残り、内筒33内には排出されない。また内筒33内で一旦ゆっくり上昇した後に内筒33と外筒32との間隙に流下するため、雨水中の砂などは沈下して内筒33内に残り、内筒33内から排出されない。すなわち通水ダクト３は雨水中の油分と土砂を分離して水だけを周囲の地盤内に浸透させる機能を有する。
〔実施例２〕
図３は、地中に埋設された本発明の第２の実施例の通水ダクト式雨水浸透装置の通水ダクト３付近を示す部分断面図である。第１の実施例との相違は、通水ダクト３の取付け向きが逆になっている点で、雨水浸透枡内の水は矢印で示すように通水孔321 から外筒32内に浸入し、開口331 からあふれて通水孔311 から地盤内へ排出される。逆向きにしても、油分と砂を分離する機能は基本的には変わらないが、実験によればこの向きの方が成績がよい場合がある。また、雨水浸透枡本体１のコンクリート壁の厚みによっては第１の実施例における図２のように集水ダクト３が外側に突出して施工に邪魔になることがあるが、内側向きにすればそのおそれはない。
【００１２】
雨水浸透枡本体１の容積に対する通水孔311 と通水孔321 とのそれぞれの合計面積は、通水ダクト内の流速に関係するので、これらを勘案して決定する必要がある。
図４は本発明の実施例の通水ダクト式雨水浸透装置の設置手順を説明する説明図である。まず（ａ）に示すように設置場所の地盤を掘削し、（ｂ）に示すようにその底部に砕石Ｂを敷きつめる。ついで（ｃ）に示すように砕石Ｂの上に雨水浸透枡１を設置するが、設置深さが深い場合はその上部に底のない枠状の補助枡1aを載せ、地表高さに蓋、あるいはグレーチングをかぶせる。補助枡1aの部分に周囲からの雨水の流入口が設けられる。最後に（ｄ）に示すように雨水浸透枡１の周囲にも砕石Ｂを埋め戻し、舗装を行って完了となる。
【００１３】
土壌内バクテリアによる浄化作用を期待するには、排出側の通水孔に位置を地表から 500〜600 ｍｍの深さとすることが好ましい。
【００１４】
【発明の効果】
本発明によれば、道路や駐車場、住宅敷地等に集められた雨水を地盤内に浸透させることで下水処理の負荷を軽減するとともに水質浄化を伴った雨水の地下浸透を行うことにより地下水の水質を向上させることができるという、すぐれた効果を奏する。
【図面の簡単な説明】
【図１】本発明の第１の実施例の雨水浸透枡を示す斜視図である。
【図２】地中に埋設された本発明の第１の実施例の雨水浸透枡の通水ダクト付近を示す部分断面斜視図である。
【図３】地中に埋設された本発明の第２の実施例の雨水浸透枡の通水ダクト付近を示す部分断面図である。
【図４】本発明の実施例の雨水浸透枡の設置手順を説明する説明図である。
【符号の説明】
１    雨水浸透枡（本体）
1a    補助枡
２    側面開口
３    通水ダクト
31    前板
32    外筒（外板）
33    内筒（仕切り部材）
311 、321   通水孔
Ｂ    砕石
【図１】
0004119165.tif 000002
【図２】
0004119165.tif 000003
【図３】
0004119165.tif 000004
【図４】
0004119165.tif 000005